(57)【要約】【課題】製造が容易で、施工性が良好であり、土砂が除かれた水分を速やかに側溝へ流入させることができ、施工後の耐久性にも優れた側溝用ブロックを提供する。【解決手段】側溝用ブロック１０は、両端に開口１０ａ，１０ｂを有する筒状であり、その一方の側壁１０ｃの一部に、透水性の不織布１が側壁１０ｃと一体的に配設された複数の透水孔２を設けている。不織布１は、長方形をした透水孔２よりも一回り大きな長方形であり、不織布１の外周に沿って金属製の枠状体が付設されている。そして、枠状体および不織布１の外周を側壁１０ｃ内に埋設することによって側壁１０ｃと一体的に配設されている。また、不織布１は、側壁１０ｃの厚み方向Ｔの略中心位置に配設されている。【選択図】  図１
2006161377.tif 000002
【特許請求の範囲】
【請求項１】
両端が開口した筒状または溝状の側溝用ブロックの側壁の一部に、透水性の不織布が前記側壁と一体的に配設された透水孔を設けたことを特徴とする側溝用ブロック。
【請求項２】
前記不織布を前記側壁の厚み方向の略中心位置に配設した請求項１記載の側溝用ブロック。
【請求項３】
前記側壁内に位置する前記不織布の外周に枠状体を設けた請求項１または２記載の側溝用ブロック。
【請求項４】
前記透水孔の内周面の少なくとも一部に、当該側溝用ブロックの底部に向かって下り勾配をなす斜面部を設けた請求項１〜３のいずれかに記載の側溝用ブロック。
【発明の詳細な説明】
【技術分野】
【０００１】
本発明は、道路面に降った雨水などを排水するため道路の側方部分に設置される側溝を構築するための側溝用ブロックに関する。
【背景技術】
【０００２】
雨天などの際に道路面から地中に浸透した雨水などを速やかに側溝に流入させるため、側溝を構成する側溝用ブロックの側壁に透水孔を設けたものが使用されている。しかしながら、単に透水孔を設けただけでは、道路地盤中の土砂が雨水と共に透水孔を通過して側溝内に流入して様々なトラブルを引き起こすことが予測される。そこで、このようなトラブルを防止するため、土砂の通過を阻止する濾過手段を透水孔に配置したものが開発されている（例えば、特許文献１，２参照。）。
【０００３】
【特許文献１】特開平１１−３０３００６号公報
【特許文献２】特開２００１−１１８１０号公報
【発明の開示】
【発明が解決しようとする課題】
【０００４】
特許文献１に記載された「路肩」および特許文献２に記載された「舗装構造」は、側溝用ブロックの側壁に開設された排水管の外側に不織布を配置する構造であるため、施工中に作業者や資材などが不織布に触れると外れることがあり、施工性に難点がある。また、施工後においても、時間が経過するうちに、道路の振動や気象・気温の変化などにより、不織布の位置がずれたり、外れたりすることがあり、耐久性が不十分である。
【０００５】
本発明が解決しようとする課題は、製造が容易で、施工性が良好であり、土砂が除かれた水分を速やかに側溝へ流入させることができ、施工後の耐久性にも優れた側溝用ブロックを提供することにある。
【課題を解決するための手段】
【０００６】
本発明の側溝用ブロックは、両端が開口した筒状または溝状の側溝用ブロックの側壁の一部に、透水性の不織布が前記側壁と一体的に配設された透水孔を設けたことを特徴とする。このような構成とすれば、透水性の不織布が配設された透水孔を通過することによって土砂が除かれた水分を速やかに側溝内へ流入させることができる。また、不織布は側壁と一体的に配設されているため、作業者や資材などが触れただけで、位置がずれたり、外れたりすることがなく、施工性が良好である。施工後、道路の振動や気象・気温の変化などによって不織布の位置がずれたり、外れたりすることもないので、耐久性にも優れている。さらに、モルタルを型枠に流し込んで側溝用ブロックを製造する際に、その側壁部分に透水孔を設けて不織布を配置すれば良いので、製造も容易である。
【０００７】
ここで、前記不織布を前記側壁の厚み方向の略中心位置に配設すれば、側壁の内側および外側から離れた部分に不織布が位置することとなり、搬送中や施工中などに作業者や資材などが触れにくくなるため、誤って不織布を損傷するようなトラブルを防止することができる。
【０００８】
また、前記側壁内に位置する前記不織布の外周に枠状体を設ければ、製造工程中は勿論施工現場に定着した後においても、不織布に皺や弛みが発生するのを防止することができるため、製造が容易となり、耐久性がさらに向上する。
【０００９】
また、前記透水孔の内周面の少なくとも一部に、当該側溝用ブロックの底部に向かって下り勾配をなす斜面部を設けることもできる。このような構成とすれば、当該側溝用ブロックを地中に定着した後、透水孔付近に存在する水分を速やかに透水孔へ導くことが可能となるため、導水機能を向上させることができる。
【発明の効果】
【００１０】
本発明により、以下の効果を奏する。
【００１１】
（１）両端が開口した筒状または溝状の側溝用ブロックの側壁の一部に、透水性の不織布が前記側壁と一体的に配設された透水孔を設けたことにより、製造が容易で、施工性が良好で、土砂が除かれた水分を速やかに側溝内へ流入させることができ、施工後の耐久性にも優れたものとなる。
【００１２】
（２）前記不織布を前記側壁の厚み方向の略中心位置に配設すれば、搬送中や施工中などに作業者や資材などが触れにくくなるため、誤って不織布を損傷するようなトラブルを防止することができる。
【００１３】
（３）前記側壁内に位置する前記不織布の外周に枠状体を設ければ、製造工程中は勿論施工現場に定着した後においても、不織布に皺や弛みが発生するのを防止することができるため、製造が容易となり、耐久性がさらに向上する。
【００１４】
（４）前記透水孔の内周面の少なくとも一部に、当該側溝用ブロックの底部に向かって下り勾配をなす斜面部を設ければ、当該側溝用ブロックを地中に定着した後、透水孔付近に存在する水分を速やかに透水孔へ導くことが可能となるため、導水機能を向上させることができる。
【発明を実施するための最良の形態】
【００１５】
以下、図面に基づいて、本発明の実施の形態について説明する。図１は本発明の第１実施形態である側溝用ブロックを示す斜視図、図２は図１に示す側溝用ブロックの垂直断面図、図３は図２の一部拡大図、図４は図１に示す側溝用ブロックの透水孔付近の一部切欠側面図、図５は図１に示す側溝用ブロックの定着状態を示す垂直断面図である。
【００１６】
図１，図２に示すように本実施形態の側溝用ブロック１０は、両端に開口１０ａ，１０ｂを有する筒状であり、その一方の側壁１０ｃの一部に、透水性の不織布１が側壁１０ｃと一体的に配設された複数の透水孔２を設けている。図３，図４に示すように、不織布１は、長方形をした透水孔２よりも一回り大きな長方形であり、不織布１の外周に沿って金属製の枠状体３が付設されている。そして枠状体３および不織布１の外周を側壁１０ｃ内に埋設することによって、側壁１０ｃと一体的に配設されている。
【００１７】
側溝用ブロック１０は、従来の側溝用ブロックと同様に施工することができるが、例えば、図５に示すように、道路Ｒの側部の路床４に埋設することによって側溝を構築することができる。この場合、側壁１０ｃと接する路床４上の、透水孔２と同じ高さの部分に砕石層５を形成し、この砕石層５の上に透水性アスファルト層６を形成することが望ましいが、これは施工例の一つであり、その他の施工方法を採用することもできる。
【００１８】
図５に示す状態において、道路Ｒ表面に雨などが降り注ぐと、雨水は透水性アスファルト層６を通過して砕石層５へ流れ込み、その一部は路床４に浸透するものの、大部分は砕石層５中を横方向に移動し、側溝用ブロック１０の透水孔２付近に集まってくる。透水孔２付近に集まった雨水は、やがて透水孔２に流れ込み、透水性の不織布１を通過して土砂が除かれた状態となった水分が側溝用ブロック１０内へ流入する。即ち、透水性の不織布１が配設された透水孔２を通過することによって土砂が除かれた水分を速やかに側溝内へ流入させることができる。
【００１９】
また、不織布１は側壁１０ｃと一体的に配設されているため、運搬中や施工作業中などに、作業者や資材などが誤って触れることがあっても、容易に位置がずれたり、外れたりすることがなく、施工性も良好である。施工後、道路Ｒの振動や気象・気温の変化などによって不織布１の位置がずれたり、外れたりすることもないので、耐久性も優れている。さらに、モルタルを型枠に流し込んで側溝用ブロック１０を製造する際に、その側壁１０ｃの一部に透水孔２を設け、外周に枠状体３を付設した不織布１を配置すれば良いので、製造も容易である。
【００２０】
図３に示すように、不織布１は側壁１０ｃの厚み方向Ｔの略中心位置に配設しているため、側壁１０ｃの内側および外側から離れた部分に不織布１が位置することとなる。このため、搬送中や施工中などに作業者や資材などが不織布１に触れにくい状態となり、誤って不織布１を損傷するようなトラブルを防止することができる。不織布１の材質や目の粗さは特に限定しないので、施工条件に応じて、天然素材、合成樹脂材などで形成された、適切な目の粗さのものを使用することができる。
【００２１】
また、図４で示したように、側壁１０ｃ内に位置する不織布１の外周に枠状体３を付設しているため、製造工程中は勿論施工現場に定着した後においても、不織布１に皺や弛みが発生することがない。このため、側溝用ブロック１０の製造は容易であり、耐久性にも優れている。なお、図１，図２に示すように、側溝用ブロック１０においては、一方の側壁１０ｃのみに透水孔２を設けているが、これに限定するものではないので、他方の側壁１０ｄにも、不織布１が配設された透水孔２を設けることもできる。また、側壁１０ｃ，１０ｄにおける透水孔２の位置、個数、形状なども限定しないので、施工条件に応じて定めることができる。
【００２２】
次に、図６を参照し、本発明の第２実施形態について説明する。図６は第２実施形態である側溝用ブロック２０を示す部分断面図であり、前述した側溝用ブロック１０について図３で示した部分に相当する部分を表している。
【００２３】
図６に示すように、側溝用ブロック２０は、その側壁２０ｃの一部に、透水性の不織布１が側壁２０ｃと一体的に配設された透水孔２２を設けている。また、側壁２０ｃ内に位置する不織布１の外周に枠状体３を付設している。そして、透水孔２２の内周面の下面部分、および上面部分の不織布１より外側の領域に、側溝用ブロック２０の底部に向かって下り勾配をなす斜面部２２ａ，２２ｂを設けている。
【００２４】
このような構成とすれば、側溝用ブロック２０を図５に示すような状態で地中に定着した場合、透水孔２２付近に存在する水分を、斜面部２２ａ，２２ｂに沿って速やかに透水孔２２内へ導くことができるようになるため、優れた導水機能を発揮する。その他の部分の構造、機能などは、前述した側溝用ブロック１０と同様である。
【産業上の利用可能性】
【００２５】
本発明の側溝用ブロックは、一般道路や歩道などの側溝などを構築するための資材として広く利用することができる。
【図面の簡単な説明】
【００２６】
【図１】本発明の第１実施形態である側溝用ブロックを示す斜視図である。
【図２】図１に示す側溝用ブロックの垂直断面図である。
【図３】図２の一部拡大図である。
【図４】図１に示す側溝用ブロックの透水孔付近の一部切欠側面図である。
【図５】図１に示す側溝用ブロックの定着状態を示す垂直断面図である。
【図６】本発明の第２実施形態である側溝用ブロックを示す部分断面図である。
【符号の説明】
【００２７】
１  不織布
２，２２  透水孔
３  枠状体
４  路床
５  砕石層
６  透水性アスファルト層
１０，２０  側溝用ブロック
１０ａ，１０ｂ  開口
１０ｃ，１０ｄ，２０ｃ  側壁
２２ａ，２２ｂ  斜面部
Ｒ  道路
Ｔ  厚み方向
【図１】
2006161377.tif 000003
【図２】
2006161377.tif 000004
【図３】
2006161377.tif 000005
【図４】
2006161377.tif 000006
【図５】
2006161377.tif 000007
【図６】
2006161377.tif 000008